(57)【要約】【課題】スケジュールのイベントの開始時間、終了時間の表示が１画面に収まらず、スケジュールの時間的重なりが見にくいことを解決する。【解決手段】入力部１０は、利用者からのイベント名、開始時刻、終了時刻を含むスケジュールのデータを入力し、処理部２０１は、入力部１０からスケジュールのデータを入力し記憶部３０に格納し、開始時刻部２０２、終了時刻部２０３による開始時刻データ、終了時刻データにより、イベント時間の重複を調べ、イベントの時間の重複が存在すれば、イベントの開始時間、終了時間を参照して、開始時間、終了時間に対応する期間線用図形を記憶部３０から抽出し、各イベントの開始時刻、終了時刻に付加し、出力し、表示制御部２０４は、開始時刻、終了時刻、期間線用図形を各イベントの名称と期間線用図形とが重ならない表示となるように表示装置用の形式に変換し出力し、表示部４０で表示する。【選択図】      図１
2004355222.tif 000002
【特許請求の範囲】
【請求項１】
利用者からのイベント名、開始時刻、終了時刻を含むスケジュールのデータを入力し、入力されたスケジュールのデータを出力する入力部と、
前記入力部からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理部と、
前記記憶部のスケジュールデータからイベント名と対応する開始時刻を抽出し開始時刻データとして、前記処理部に出力する開始時刻部と、
前記記憶部のスケジュールデータからイベント名と対応する終了時刻を抽出し終了時刻データとして、前記処理部に出力する終了時刻部と、
前記処理部からの各イベントの開始時刻、終了時刻、期間線用図形を各イベントの名称と期間線用図形とが重ならない表示となるように表示装置用の形式に変換し出力する表示制御部と、
を有することを特徴とするスケジュール表示装置。
【請求項２】
利用者からのイベント名、開始時刻、終了時刻を含むスケジュールのデータを入力し、入力されたスケジュールのデータを出力する入力部と、
前記入力部からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理部と、
前記記憶部のスケジュールデータからイベント名と対応する開始時刻を抽出し開始時刻データとして、前記処理部に出力する開始時刻部と、
前記記憶部のスケジュールデータからイベント名と対応する終了時刻を抽出し終了時刻データとして、前記処理部に出力する終了時刻部と、
前記処理部からの各イベントの開始時刻、終了時刻、期間線用図形を、各イベントの名称と期間線用図形とが重ならない表示となるように表示装置用の形式に変換し出力する表示制御部と、
を有することを特徴とするスケジュール表示装置。
【請求項３】
前記処理部からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御部と、
を有することを特徴とする請求項１、または２記載のスケジュール表示装置。
【請求項４】
利用者からのイベント名、開始時刻、終了時刻を含むスケジュールのデータを入力し、入力されたスケジュールのデータを出力する入力手順と、
前記入力手順からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理手順と、
前記記憶部のスケジュールデータからイベント名と対応する開始時刻を抽出し開始時刻データとして、前記処理手順に出力する開始時刻手順と、
前記記憶部のスケジュールデータからイベント名と対応する終了時刻を抽出し終了時刻データとして、前記処理手順に出力する終了時刻手順と、
前記処理手順からの各イベントの開始時刻、終了時刻、期間線用図形を各イベントの名称と期間線用図形とが重ならない表示となるように表示装置用の形式に変換し出力する表示制御手順と、
を含むことを特徴とするスケジュール表示方法。
【請求項５】
利用者からのイベント名、開始時刻、終了時刻を含むスケジュールのデータを入力し、入力されたスケジュールのデータを出力する入力手順と、
前記入力手順からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理手順と、
前記記憶部のスケジュールデータからイベント名と対応する開始時刻を抽出し開始時刻データとして、前記処理手順に出力する開始時刻手順と、
前記記憶部のスケジュールデータからイベント名と対応する終了時刻を抽出し終了時刻データとして、前記処理手順に出力する終了時刻手順と、
前記処理手順からの各イベントの開始時刻、終了時刻、期間線用図形を、各イベントの名称と期間線用図形とが重ならない表示となるように表示装置用の形式に変換し出力する表示制御手順と、
を含むことを特徴とするスケジュール表示方法。
【請求項６】
前記処理手順からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御手順と、
を含むことを特徴とする請求項４、または５記載のスケジュール表示方法。
【請求項７】
利用者からのイベント名、開始時刻、終了時刻を含むスケジュールのデータを入力し、入力されたスケジュールのデータを出力する入力手順と、
前記入力手順からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理手順と、
前記記憶部のスケジュールデータからイベント名と対応する開始時刻を抽出し開始時刻データとして、前記処理手順に出力する開始時刻手順と、
前記記憶部のスケジュールデータからイベント名と対応する終了時刻を抽出し終了時刻データとして、前記処理手順に出力する終了時刻手順と、
前記処理手順からの各イベントの開始時刻、終了時刻、期間線用図形を各イベントの名称と期間線用図形とが重ならない表示となるように表示装置用の形式に変換し出力する表示制御手順と、
をコンピュータに実行させることを特徴とするスケジュール表示プログラム。
【請求項８】
利用者からのイベント名、開始時刻、終了時刻を含むスケジュールのデータを入力し、入力されたスケジュールのデータを出力する入力手順と、
前記入力手順からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理手順と、
前記記憶部のスケジュールデータからイベント名と対応する開始時刻を抽出し開始時刻データとして、前記処理手順に出力する開始時刻手順と、
前記記憶部のスケジュールデータからイベント名と対応する終了時刻を抽出し終了時刻データとして、前記処理手順に出力する終了時刻手順と、
前記処理手順からの各イベントの開始時刻、終了時刻、期間線用図形を、各イベントの名称と期間線用図形とが重ならない表示となるように表示装置用の形式に変換し出力する表示制御手順と、
をコンピュータに実行させることを特徴とするスケジュール表示プログラム。
【請求項９】
前記処理手順からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御手順と、
をコンピュータに実行させることを特徴とする請求項７、または８記載のスケジュール表示プログラム。
【発明の詳細な説明】
【０００１】
【発明の属する技術分野】
本発明は、スケジュール表示装置、スケジュール表示方法、スケジュール表示プログラムに関し、特に、期間線を表示するスケジュール表示装置、スケジュール表示方法、スケジュール表示プログラムに関する。
【０００２】
【従来の技術】
スケジュールを表示する特許文献１記載の技術は、ＲＡＭの予定データテーブルに記憶されたスケジュールデータを、時間軸上に、その開始時間から終了時間までの帯とその予定内容とを並べて表示する技術であって、スケジュールタイムテーブル画面を表示部に表示するとき、スケジュールタイムテーブル画面の各表示日の枠内に、一日のスケジュールデータが表示しきれない場合、ＣＰＵは、当該表示しきれない日にちに対応させてスクロールボタンを表示させ、上記スクロールボタンのタップが行われたとき、当該日のスケジュールデータをスクロール表示するよう制御する技術である。
【０００３】
【特許文献１】
特開２００２−２４４９０号公報（図６）
【０００４】
【発明が解決しようとする課題】
上述した従来の技術の第１の問題点は、スケジュールのイベントの開始時間、終了時間の表示が１画面（１ページ）に収まらない場合が多いことである。
【０００５】
その理由は、スケジュールの存在しない時間も等間隔で表示するからである。
【０００６】
第２の問題点は、スケジュールの時間的重なりが見にくいことである。
【０００７】
その理由は、時間の帯とスケジュールのイベントの文字とが重ねて表示されるからである。
【０００８】
本発明の目的は、期間線を表示し、上記問題点を解決するスケジュール表示を実施することである。
【０００９】
【課題を解決するための手段】
本発明の第１のスケジュール表示装置は、利用者からのイベント名、開始時刻、終了時刻を含むスケジュールのデータを入力し、入力されたスケジュールのデータを出力する入力部と、前記入力部からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理部と、前記記憶部のスケジュールデータからイベント名と対応する開始時刻を抽出し開始時刻データとして、前記処理部に出力する開始時刻部と、前記記憶部のスケジュールデータからイベント名と対応する終了時刻を抽出し終了時刻データとして、前記処理部に出力する終了時刻部と、前記処理部からの各イベントの開始時刻、終了時刻、期間線用図形を各イベントの名称と期間線用図形とが重ならない表示となるように表示装置用の形式に変換し出力する表示制御部と、を有することを特徴とする。
【００１０】
本発明の第２のスケジュール表示装置は、利用者からのイベント名、開始時刻、終了時刻を含むスケジュールのデータを入力し、入力されたスケジュールのデータを出力する入力部と、前記入力部からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理部と、前記記憶部のスケジュールデータからイベント名と対応する開始時刻を抽出し開始時刻データとして、前記処理部に出力する開始時刻部と、前記記憶部のスケジュールデータからイベント名と対応する終了時刻を抽出し終了時刻データとして、前記処理部に出力する終了時刻部と、前記処理部からの各イベントの開始時刻、終了時刻、期間線用図形を、各イベントの名称と期間線用図形とが重ならない表示となるように表示装置用の形式に変換し出力する表示制御部と、を有することを特徴とする。
【００１１】
本発明の第３のスケジュール表示装置は、前記第１、または第２のスケジュール表示装置であって、前記処理部からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御部と、を有することを特徴とする。
【００１２】
本発明の第１のスケジュール表示方法は、利用者からのイベント名、開始時刻、終了時刻を含むスケジュールのデータを入力し、入力されたスケジュールのデータを出力する入力手順と、前記入力手順からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理手順と、前記記憶部のスケジュールデータからイベント名と対応する開始時刻を抽出し開始時刻データとして、前記処理手順に出力する開始時刻手順と、前記記憶部のスケジュールデータからイベント名と対応する終了時刻を抽出し終了時刻データとして、前記処理手順に出力する終了時刻手順と、前記処理手順からの各イベントの開始時刻、終了時刻、期間線用図形を各イベントの名称と期間線用図形とが重ならない表示となるように表示装置用の形式に変換し出力する表示制御手順と、を含むことを特徴とする。
【００１３】
本発明の第２のスケジュール表示方法は、利用者からのイベント名、開始時刻、終了時刻を含むスケジュールのデータを入力し、入力されたスケジュールのデータを出力する入力手順と、前記入力手順からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理手順と、前記記憶部のスケジュールデータからイベント名と対応する開始時刻を抽出し開始時刻データとして、前記処理手順に出力する開始時刻手順と、前記記憶部のスケジュールデータからイベント名と対応する終了時刻を抽出し終了時刻データとして、前記処理手順に出力する終了時刻手順と、前記処理手順からの各イベントの開始時刻、終了時刻、期間線用図形を、各イベントの名称と期間線用図形とが重ならない表示となるように表示装置用の形式に変換し出力する表示制御手順と、を含むことを特徴とする。
【００１４】
本発明の第３のスケジュール表示方法は、前記第１、または第２のスケジュール表示方法であって、前記処理手順からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御手順と、を含むことを特徴とする。
【００１５】
本発明の第１のスケジュール表示プログラムは、利用者からのイベント名、開始時刻、終了時刻を含むスケジュールのデータを入力し、入力されたスケジュールのデータを出力する入力手順と、前記入力手順からスケジュールのデータを入力し記憶部に格納し、開始時刻データ、終了時刻データにより、イベント時間の重複を調べ、イベントの時間の重複が存在すれば、イベントの開始時間、終了時間を参照して、開始時間、終了時間に対応する期間線用図形を前記記憶部から抽出し、各イベントの開始時刻、終了時刻に付加し、出力する処理手順と、前記記憶部のスケジュールデータからイベント名と対応する開始時刻を抽出し開始時刻データとして、前記処理手順に出力する開始時刻手順と、前記記憶部のスケジュールデータからイベント名と対応する終了時刻を抽出し終了時刻データとして、前記処理手順に出力する終了時刻手順と、前記処理手順からの各イベントの開始時刻、終了時刻、期間線用図形を各イベントの名称と期間線用図形とが重ならない表示となるように表示装置用の形式に変換し出力する表示制御手順と、をコンピュータに実行させることを特徴とする。
【００１６】
本発明の第２のスケジュール表示プログラムは、利用者からのイベント名、開始時刻、終了時刻を含むスケジュールのデータを入力し、入力されたスケジュールのデータを出力する入力手順と、前記入力手順からスケジュールのデータを入力し記憶部に格納し、開始時刻データ、終了時刻データにより、イベント時間の重複を調べ、イベントの時間の重複が存在すれば、終了時刻の遅い方のイベントの開始時刻、終了時刻の期間線を外側に表示するために、終了時刻の遅い方のイベントの開始時刻、終了時刻に外側表示指示フラグを付加し、前記記憶部に格納し、終了時刻が同一である重複が存在する場合には、開始時間が早い方のイベントの開始時刻、終了時刻に外側表示指示フラグを付加し、前記記憶部に格納し、イベントの名称のデータを出力し、各イベントの開始時刻、終了時刻のフラグなし、または、外側表示指示フラグに対応する期間線用図形を前記記憶部から選択し、各イベントの開始時刻、終了時刻に付加し出力する処理手順と、前記記憶部のスケジュールデータからイベント名と対応する開始時刻を抽出し開始時刻データとして、前記処理手順に出力する開始時刻手順と、前記記憶部のスケジュールデータからイベント名と対応する終了時刻を抽出し終了時刻データとして、前記処理手順に出力する終了時刻手順と、前記処理手順からの各イベントの開始時刻、終了時刻、期間線用図形を、各イベントの名称と期間線用図形とが重ならない表示となるように表示装置用の形式に変換し出力する表示制御手順と、をコンピュータに実行させることを特徴とする。
【００１７】
本発明の第３のスケジュール表示プログラムは、前記第１、または第２のスケジュール表示プログラムであって、前記処理手順からの各イベントの開始時刻、終了時刻、期間線用図形を、各イベントの名称と期間線用図形とが重ならない表示となるように、かつ、イベントの開始時刻、終了時刻ではない時刻表示は行わないように表示装置用の形式に変換し出力する表示制御手順と、をコンピュータに実行させることを特徴とする。
【００１８】
【発明の実施の形態】
次に、本発明の第１の実施の形態について図面を参照して詳細に説明する。
【００１９】
図１は、本発明の第１の実施の形態の構成を示すブロック図である。
【００２０】
図１を参照すると、本発明の第１の実施の形態は、キー、ボタン等で構成される入力部１０と、プロセッサ等で構成される制御部２０と、メモリ、ハードディスク装置等で構成される記憶部３０と、ディスプレイ等で構成される表示部４０とを備える。
【００２１】
制御部２０は、通常の、携帯電話等の処理を実施する処理部２０１と、開始時刻に関する期間線の処理を行う開始時刻部２０２と、終了時刻に関する期間線の処理を行う終了時刻部２０３と、表示の処理を行う表示制御部２０４とを含んで構成される。本発明の第１の実施の形態が、携帯電話に適用される場合には、通信制御の手段も構成に含まれる。
【００２２】
次に、本発明の第１の実施の形態の動作について説明する。
【００２３】
スケジュールデータを登録した際に期間線と呼ぶ線を使用して１日のスケジュールデータを表示する場合の動作について説明する。
【００２４】
図２は、本発明により、期間線が表示されたスケジュール画面を示す説明図である。
【００２５】
図２を参照すると、各イベントに関し、０７：２０が、食事の開始時刻、０８：３０が、食事の終了時刻、かつ、登校時間の開始時刻、０８：４０が登校時間の終了時刻である。また、０９：００が、持久走大会の開始時刻、１２：００が、渋谷でマックの開始時刻、１２：５０が、渋谷でマックの終了時刻、１８：００が、持久走大会の終了時刻である。また、１９：００が、打ち上げの開始時刻、２１：００が、打ち上げの終了時刻、かつ、帰宅の開始時刻、２２：００が、帰宅の終了時刻である。
【００２６】
図３は、本発明の第１の実施の形態の動作を示すフローチャートである。
【００２７】
図３を参照すると、利用者により、制御部２０が起動されると、制御部２０が表示装置スケジュール入力画面を表示し、入力部１０は、利用者からのスケジュールのデータ（各イベントの名称との開始時刻、週力時刻を含むデータ）を入力する（図３ステップＳ１）。入力部１０は、入力されたスケジュールのデータを制御部２０に出力し、制御部２０の処理部２０１が、スケジュールのデータを記憶部３０に格納する（図３ステップＳ２）。次に、開始時刻部２０２は、記憶部３０から、イベント名と対応する開始時刻を抽出し開始時刻データとして、処理部２０１に出力する（図３ステップＳ３）。次に、終了時刻部２０３は、記憶部３０から、イベント名と対応する終了時刻を抽出し終了時刻データとして、処理部２０１に出力する（図３ステップＳ４）。
【００２８】
次に、処理部２０１は、開始時刻部２０２からの開始時刻データ、終了時刻部２０３からの終了時刻データにより、イベントの重複を調べる（図３ステップＳ５）。ここで、重複とは、あるイベントＡの開始時刻をＸ、終了時刻をＹとすると、Ｘ＜イベントＢの終了時刻Ｙ’≦Ｙ、または、Ｘ≦イベントＢの開始時刻Ｘ’＜ＹとなるイベントＢが存在する場合である。処理部２０１は、すべてのイベントに関してイベントの重複を調べる。
【００２９】
図４は、重複の例を示す説明図である。
【００３０】
次に、重複がある場合には、処理部２０１は、終了時刻の遅い方のイベントの開始時刻、終了時刻の期間線を外側（図２の例では、左側）に表示するために、終了時刻の遅い方のイベントの開始時刻、終了時刻に第１外側表示指示フラグ（図４の○）を付加し、記憶部３０に格納する（図３ステップＳ６、図４（ａ）、（ｂ））。また、終了時刻が同一である重複が存在する場合には、開始時間が早い方のイベントの開始時刻、終了時刻に第１外側表示指示フラグ（図４の○）を付加し、記憶部３０に格納する（図３ステップＳ６、図４（ｃ））。重複が３重以上になる場合には、順次、終了時刻の遅い方のイベントの開始時刻、終了時刻に第Ｎ（２，３，・・・）外側表示指示フラグ（図４の○、○’）を付加し、記憶部３０に格納する（図３ステップＳ６、図４（ｄ））。
【００３１】
次に、処理部２０１は、イベントの名称のデータを表示制御部２０４に出力する（図３ステップＳ７）。次に、各イベントの開始時刻、終了時刻のフラグなし、または、第１外側表示指示フラグ〜第Ｎ外側表示指示フラグに対応する期間線用図形を記憶部３０（事前に記憶部３０に格納される）から選択し、各イベントの開始時刻、終了時刻に付加し表示制御部２０４に出力する（図３ステップＳ８）。
【００３２】
図５は、期間線用図形を示す説明図である。
【００３３】
図５（ａ）は、開始時刻に対応する期間線用図形を示す。また、図５（ｂ）は、終了時刻に対応する期間線用図形を示す。
【００３４】
次に、表示制御部２０４は、イベントの名称のデータ、イベントの開始時間、終了時間、期間線用図形を、処理部２０１から入力し、開始時刻の期間線用図形と対応する終了時刻の期間線用図形を接続する直線図形を生成し、これらを表示部４０に表示する形式のデータに変換し、表示部４０に出力する（図３ステップＳ９）。
【００３５】
表示部４０は、表示制御部２０４からのデータを表示する。
【００３６】
図６は、各種の期間線の形を示す説明図である。
【００３７】
図６（ａ）は、図４（ａ）に対応し、図６（ｂ）は、図４（ｂ）に対応し、図６（ｃ）は、図４（ｃ）に対応し、図６（ｄ）は、図４（ｄ）に対応する。
【００３８】
また、以下のような詳細な規則にしたがって期間線の表示を行うことが可能である。
【００３９】
（１）左から、期間線、開始時刻・終了時刻、イベント名の順に表示する。
【００４０】
（２）デフォルトで表示する時刻は、０９：００〜１８：００とする。
【００４１】
（３）一つのイベントに関し、開始時刻と終了時刻とが同時刻の場合には、期間線の表示は行わない。
【００４２】
（４）イベントの開始時刻、終了時刻ではない時刻表示は行わない。
【００４３】
（５）時刻表示が複数ページ（１画面に表示できない）になる場合は、データに関わっていない遅い時刻を非表示にする。
【００４４】
次に、本発明の第２の実施の形態について図面を参照して説明する。
本発明の第２の実施の形態は、利用者からのスケジュールのデータ（各イベントの名称との開始時刻、週力時刻を含むデータ）を入力する第１のステップ（図３ステップＳ１）と、スケジュールのデータを記憶部３０に格納する第２のステップ（図３ステップＳ２）と、記憶部３０から、イベント名と対応する開始時刻を抽出し開始時刻データとして、処理部２０１に出力する第３のステップ（図３ステップＳ３）と、記憶部３０から、イベント名と対応する終了時刻を抽出し終了時刻データとして、処理部２０１に出力する第４のステップと（図３ステップＳ４）と、開始時刻データ、終了時刻データにより、イベントの重複を調べる第５のステップ（図３ステップＳ５）と、終了時刻が同一である重複が存在する場合には、開始時間が早い方のイベントの開始時刻、終了時刻に第１外側表示指示フラグ（図４の○）を付加し、記憶部３０に格納する第６のステップ（図３ステップＳ６、図４（ｃ））と、各イベントの開始時刻、終了時刻のフラグなし、または、第１外側表示指示フラグ〜第Ｎ外側表示指示フラグに対応する期間線用図形を記憶部３０から選択し、各イベントの開始時刻、終了時刻に付加し、出力する第７のステップ（図３ステップＳ８）とを含む方法である。
【００４５】
次に、本発明の第３の実施の形態について説明する。
【００４６】
本発明の第３の実施の形態は、利用者からのスケジュールのデータ（各イベントの名称との開始時刻、週力時刻を含むデータ）を入力する第１のステップ（図３ステップＳ１）と、スケジュールのデータを記憶部３０に格納する第２のステップ（図３ステップＳ２）と、記憶部３０から、イベント名と対応する開始時刻を抽出し開始時刻データとして、処理部２０１に出力する第３のステップ（図３ステップＳ３）と、記憶部３０から、イベント名と対応する終了時刻を抽出し終了時刻データとして、処理部２０１に出力する第４のステップと（図３ステップＳ４）と、開始時刻データ、終了時刻データにより、イベントの重複を調べる第５のステップ（図３ステップＳ５）と、終了時刻が同一である重複が存在する場合には、開始時間が早い方のイベントの開始時刻、終了時刻に第１外側表示指示フラグ（図４の○）を付加し、記憶部３０に格納する第６のステップ（図３ステップＳ６、図４（ｃ））と、各イベントの開始時刻、終了時刻のフラグなし、または、第１外側表示指示フラグ〜第Ｎ外側表示指示フラグに対応する期間線用図形を記憶部３０から選択し、各イベントの開始時刻、終了時刻に付加し、出力する第７のステップ（図３ステップＳ８）とをコンピュータ（たとえば、入力部１０、制御部２０）に実行させるプログラムである。
【００４７】
【発明の効果】
第１の効果は、利用者がスケジュールのイベントの期間が容易に把握できることである。
【００４８】
その理由は、スケジュールのイベントの開始時刻、終了時刻を期間線を用いて表示するからである。
【００４９】
第２の効果は、スケジュールのイベントの重なりを容易に把握できることである。
【００５０】
その理由は、イベントの名称と重ならないように期間線を表示するからである。
【００５１】
第３の効果は、利用者によるページ切り替えの操作が節約できることである。
【００５２】
その理由は、開始時刻、終了時刻ではない時刻表示は行わない構成をとることができるからである。
【図面の簡単な説明】
【図１】本発明の第１の実施の形態の構成を示すブロック図である。
【図２】期間線が表示されたスケジュール画面を示す説明図である。
【図３】本発明の第１の実施の形態の動作を示すフローチャートである。
【図４】重複の例を示す説明図である。
【図５】期間線用図形を示す説明図である。
【図６】各種の期間線の形を示す説明図である。
【符号の説明】
１０    入力部
２０    制御部
３０    記憶部
４０    表示部
２０１    処理部
２０２    開始時刻部
２０３    終了時刻部
２０４    表示制御部
【図１】
2004355222.tif 000003
【図２】
2004355222.tif 000004
【図３】
2004355222.tif 000005
【図４】
2004355222.tif 000006
【図５】
2004355222.tif 000007
【図６】
2004355222.tif 000008